【手続補正書】
【提出日】平成19年5月25日(2007.5.25)
【手続補正１】
【補正対象書類名】明細書
【補正対象項目名】特許請求の範囲
【補正方法】変更
【補正の内容】
【特許請求の範囲】
【請求項１】  画素のカラー画像データを補正する方法であって、
前記画素のために３つの原色と、３つの二次色と、混合色とのインテンシティデータを生成するステップと、
原色、二次色、混合色のそれぞれに対する出力原色の寄与を表す１つの係数を含む１セットのマトリクス係数を前記各出力原色のために生成するステップと、
各出力原色のために補正されたインテンシティデータ値を生成するため、前記マトリクス係数とそれに対応する前記インテンシティデータとの積の総和を生成するステップとを含む前記方法。
【請求項２】  請求項１記載の方法であって、更に、前記補正されたインテンシティデータ値を格納するステップを含む前記方法。
【請求項３】  請求項１記載の方法であって、更に、前記補正されたインテンシティデータ値を用いて画像画素を形成するステップを含む前記方法。
【請求項４】  請求項１記載の方法であって、更に、前記補正されたインテンシティデータ値を用いて画像画素を印刷するステップを含む前記方法。
【請求項５】  画素のカラー画像データを補正する方法であって、
前記画素のために、三原色のそれぞれに対応する最大入力インテンシティ値と、中間入力インテンシティ値と、最小入力インテンシティ値とを含む画像データを生成するステップと、
前記画像データを前記最大入力インテンシティ値と前記中間入力インテンシティ値の差から生成された原色と、前記中間入力インテンシティ値と前記最小入力インテンシティ値の差から生成された二次色と、前記最小の入力インテンシティ値から生成された混合色成分とをもつ色空間に変換するステップと、
前記原色成分、二次色成分、混合色成分の生成に対する出力三原色それぞれの寄与を表す係数であって、かつ前記最大、中間、最小入力インテンシティ値と前記三原色との対応関係に依存する係数を生成するステップと、
各出力原色のために補正されたインテンシティデータ値を生成するため、前記係数と前記原色、二次色、混合色成分との積の総和を生成するステップとを含む前記方法。
【請求項６】  請求項５記載の方法であって、更に、前記補正されたインテンシティデータ値を格納するステップを含む前記方法。
【請求項７】  請求項５記載の方法であって、更に、前記補正されたインテンシティデータ値を用いて画像画素を形成するステップを含む前記方法。
【請求項８】  請求項５記載の方法であって、係数を生成する前記ステップが更に、前記原色成分、二次色成分、混合色成分の生成に対する出力三原色それぞれの寄与を表す係数であって、かつ前記最大、中間、最小入力インテンシティ値と前記三原色との対応関係に依存する係数を生成するステップを含み、前記係数によって、前記画像データに対するガンマ補正を補償する前記方法。
【請求項９】  画素のカラー画像データを補正する方法であって、
前記画素のために、三原色のそれぞれに対応する最大入力インテンシティ値と、中間入力インテンシティ値と、最小入力インテンシティ値とを含む画像データを生成するステップと、
前記画像データを前記最大入力インテンシティ値と前記中間入力インテンシティ値の差から生成された原色（Ｐ）と、前記中間入力インテンシティ値と前記最小入力インテンシティ値の差から生成された二次色（Ｓ）と、前記最小の入力インテンシティ値から生成された混合色（Ｃ）成分とをもつ色空間に変換するステップと、
第１出力原色（Ｒ’）への前記原色成分の寄与を表すダイナミック係数（ＸRP）を生成するステップと、
前記第１出力原色（Ｒ’）への前記二次色成分の寄与を表すダイナミック係数(ＸRS)を生成するステップと、
前記第１出力原色（Ｒ’）への前記混合色成分の寄与を表すダイナミック係数(ＸRC)を生成するステップと、
第２出力原色（Ｇ’）への前記原色成分の寄与を表すダイナミック係数(ＹGP)を生成するステップと、
前記第２出力原色（Ｇ’）への前記二次色成分の寄与を表すダイナミック係数(ＹGS)を生成するステップと、
前記第２出力原色（Ｇ’）への前記混合色成分の寄与を表すダイナミック係数(ＹGC)を生成するステップと、
第３出力原色（Ｂ’）への前記原色成分の寄与を表すダイナミック係数(ＺBP)を生成するステップと、
前記第３出力原色（Ｂ’）への前記二次色成分の寄与を表すダイナミック係数(ＺBS)を生成するステップと、
前記第３出力原色（Ｂ’）への前記混合色成分の寄与を表すダイナミック係数(ＺBC)を生成するステップと、
下記方程式によって前記各出力原色の補正出力値を計算するステップとを含む前記方法。
2000358252.tif 000001
【請求項１０】  請求項９記載の方法であって、更に、前記補正されたインテンシティデータ値を格納するステップを含む前記方法。
【請求項１１】  請求項９記載の方法であって、更に、前記補正されたインテンシティデータ値を用いて画像画素を形成するステップを含む前記方法。
【請求項１２】  請求項９記載の方法であって、ダイナミック係数を生成する前記ステップが更に、前記画像データに施されるガンマ補正を補償するためのダイナミック係数を生成するステップを含む前記方法。
【手続補正２】
【補正対象書類名】明細書
【補正対象項目名】００４４
【補正方法】変更
【補正の内容】
【００４４】
（５）画素のカラー画像データを補正する方法であって、
前記画素のために、三原色のそれぞれに対応する最大入力インテンシティ値と、中間入力インテンシティ値と、最小入力インテンシティ値とを含む画像データを生成するステップと、
前記画像データを前記最大入力インテンシティ値と前記中間入力インテンシティ値の差から生成された原色と、前記中間入力インテンシティ値と前記最小入力インテンシティ値の差から生成された二次色と、前記最小の入力インテンシティ値から生成された混合色成分とをもつ色空間に変換するステップと、
前記原色成分、二次色成分、混合色成分の生成に対する出力三原色それぞれの寄与を表す係数であって、かつ前記最大、中間、最小入力インテンシティ値と前記三原色との対応関係に依存する係数を生成するステップと、
各出力原色のために補正されたインテンシティデータ値を生成するため、前記係数と前記原色、二次色、混合色成分との積の総和を生成するステップとを含む前記方法。
【手続補正３】
【補正対象書類名】明細書
【補正対象項目名】００４６
【補正方法】変更
【補正の内容】
【００４６】
（９）画素のカラー画像データを補正する方法であって、
前記画素のために、三原色のそれぞれに対応する最大入力インテンシティ値と、中間入力インテンシティ値と、最小入力インテンシティ値とを含む画像データを生成するステップと、
前記画像データを前記最大入力インテンシティ値と前記中間入力インテンシティ値の差から生成された原色（Ｐ）と、前記中間入力インテンシティ値と前記最小入力インテンシティ値の差から生成された二次色（Ｓ）と、前記最小の入力インテンシティ値から生成された混合色（Ｃ）成分とをもつ色空間に変換するステップと、
第１出力原色（Ｒ’）への前記原色成分の寄与を表すダイナミック係数（ＸRP）を生成するステップと、
前記第１出力原色（Ｒ’）への前記二次色成分の寄与を表すダイナミック係数(ＸRS)を生成するステップと、
前記第１出力原色（Ｒ’）への前記混合色成分の寄与を表すダイナミック係数(ＸRC)を生成するステップと、
第２出力原色（Ｇ’）への前記原色成分の寄与を表すダイナミック係数(ＹGP)を生成するステップと、
前記第２出力原色（Ｇ’）への前記二次色成分の寄与を表すダイナミック係数(ＹGS)を生成するステップと、
前記第２出力原色（Ｇ’）への前記混合色成分の寄与を表すダイナミック係数(ＹGC)を生成するステップと、
第３出力原色（Ｂ’）への前記原色成分の寄与を表すダイナミック係数(ＺBP)を生成するステップと、
前記第３出力原色（Ｂ’）への前記二次色成分の寄与を表すダイナミック係数(ＺBS)を生成するステップと、
前記第３出力原色（Ｂ’）への前記混合色成分の寄与を表すダイナミック係数(ＺBC)を生成するステップと、
下記方程式によって前記各出力原色の補正出力値を計算するステップとを含む前記方法。
2000358252.tif 000002